(57)【要約】【課題】複数の機構を１つのモータで動かすモータ装置において、所望シート位置への再生時間を短縮することを目的とする。【解決手段】本発明のモータ装置１０は、車両用シート２０のスライド機構２１と前方上下機構２２及び後方上下機構２３とリクライニング機構２４を動作するモータ１１と、このモータ１１の駆動を制御するシートＥＣＵ１２とで構成されており、シートＥＣＵ１２にメモリを設けることで、車両用シート２０の現在位置及び記憶位置を記憶し比較を行うことで、各機構の動作方向を検出しモータ１１の回転方向と一致する機構を動作させることを特徴とする。【選択図】図２
2012046157.tif 000002
【特許請求の範囲】
【請求項１】
乗員が着座する座席の前後位置を調節するスライド機構と、前記座席の前方において上下位置を調節する前方上下機構と、前記座席の後方において上下位置を調節する後方上下機構と、前記座席の背もたれの角度を調節するリクライニング機構を備える車両用シートの各機構の動作を行うモータと、
該モータの正転と停止と逆転の駆動を制御するシートＥＣＵとで構成されるモータ装置であって、
前記シートＥＣＵに各機構の現在位置及び記憶位置を記憶するメモリを設けることを特徴とするモータ装置。
【発明の詳細な説明】
【技術分野】
【０００１】
本発明は、１つのモータの正転又は逆転により、車両用シートの前後位置と車両用シートの前後における上下位置と背もたれの角度の合計８つの動作を行うモータの制御に関するものである。
【背景技術】
【０００２】
従来、車両用シートに使用されるモータとして、例えば、特許文献１に記載する「パワーシート調節装置」が提案されている。
【０００３】
この特許文献１のパワーシート調節装置では、シートの前後位置を調節するスライド機構と、シートの前方側上下位置を調節する前方側上下機構と、シートの後方側上下位置を調節する後方側上下機構と、シートの背もたれ角度を調節するリクライニング装置と、正逆両方向に回転可能な単一モータを備え、それぞれ独立に又は複数の気候を同時に作動可能に構成されている。
【０００４】
上記のように構成することで、１つのモータで複数の機構を作動することが可能となるため、低コストで利便性の高い車両用シートを実現している。
【先行技術文献】
【特許文献】
【０００５】
【特許文献１】特開平０８−１８８０７３号
【発明の概要】
【発明が解決しようとする課題】
【０００６】
しかし、上記に示す構造では、１つのモータで複数の機構を動かす場合において、モータの回転方向と各機構の動作方向が一致していなければ、複数の機構を同時に動かすことができない構造となっている。そのため、モータの回転方向と動作方向が一致する機構を検出する回転検出器を設けなければならない。この回転検出器は、パルス信号によりモータの回転方向と動作方向が一致する機構を検出するものであり、シートポジションを変更する度に、モータの回転方向と動作方向が一致する機構を検出する必要があるため、シートポジションを変更する際に時間を要していた。
【０００７】
そこで、本発明は上記に示す課題を解決するためになされたものであり、複数の機構を１つのモータで動かすモータ装置において、所望シート位置への再生時間を短縮することを目的とする。
【課題を解決するための手段】
【０００８】
上記に示す課題を解決するために本発明のモータ装置は、車両用シートのスライド機構と前方上下機構及び後方上下機構とリクライニング機構を動作するモータと、このモータの駆動を制御するシートＥＣＵとで構成されており、シートＥＣＵにメモリを設けることで、車両用シートの現在位置及び現在位置の１つ前の位置を記憶し比較を行い、各機構の動作方向を検出しモータの回転方向と一致する機構を動作させることを技術的特徴とする。
【発明の効果】
【０００９】
請求項１記載のモータ装置によれば、モータの回転方向と各機構の動作方向が一致する機構を短時間で検出でき、モータの回転方向と一致する機構を同時に動作させることが可能となるため、所望のシート位置への再生時間を短縮することができる。
【図面の簡単な説明】
【００１０】
【図１】本発明のモータ装置を備える車両用シートの側面図を示す図である。
【図２】本発明のモータ装置を示す図である。
【図３】メモリの現在位置と記憶位置を示す図である。
【図４】モータ装置の動作手順を示す図である。
【発明を実施するための最良の形態】
【００１１】
以下に、本発明の実施形態について図面を用いて説明する。本実施例ではモータ装置１０を車両用シート２０に適用した例を説明する。
【００１２】
まず、車両用シート２０の構成について図1を参照して説明する。
車両用シート２０は、図１に示すように、乗員が着座するシートクッション及び乗員の背もたれとなるシートバックから成る座席の前後位置を調節するスライド機構２１と、座席の前方における上下位置を調節する前方上下機構２２と、座席の後方における上下位置を調節する後方上下機構２３と、座席の背もたれの角度を調節するリクライニング機構２４と、乗員の操作により各機構を動作しシートポジションの変更を指示するスイッチ２５を備える。ここで、各機構は、後述するモータ１１が駆動することで、車両用シート２０を前後に移動したり、車両用シート２０前方及び後方を上下に昇降したり、リクライニングの角度を変更することが可能である。
【００１３】
次に、本発明のモータ装置１０について説明する。
モータ装置１０は、図２に示すように、車両用シート２０のスライド機構２１と前方上下機構２２及び後方上下機構２３とリクライニング機構２４の各機構を動作するモータ１１と、このモータ１１の駆動の制御を行うシートＥＣＵ１２で構成される。
【００１４】
モータ１１は、図２に示すように、車両用シート２０のシートクッション又はシートバックに設けられ、車両用シート２０に備えるスイッチ２５が操作されることによって正転、停止、逆転を行い、各機構を動作する。また、モータ１１の回転方向と各機構の動作方向が一致するものがあれば、複数の機構を同時に動作することが可能な構造とする。
【００１５】
シートＥＣＵ１２は、車両用シート２０のシートポジションの変更を指示するスイッチ２５を操作することによって生じるシート作動指令信号に基づいて、モータ１１の駆動を制御するものであって、シートポジションの変更を指示するスイッチ２５の回路に組み込まれる。また、このシートＥＣＵ１２は、各機構の現在位置及び現在位置の１つ前の位置（以下、記憶位置）を記憶するメモリ１３が設けられる。このメモリ１３は、図３に示すように、各機構の現在位置及び記憶位置を記憶することで、モータ１１の回転方向と一致する各機構の動作方向を検出することが可能となる。
【００１６】
続いて、本実施例に係るモータ装置１０の動作について図３及び図４を参照し説明する。
車両用シート２０は、車両のエンジンがかかると同時にシートＥＣＵ１２により現在のスライド位置と前方上下位置と後方上下位置とリクライニング角度をそれぞれ記憶する。
【００１７】
乗員が車両用シート２０に着座しスイッチ２５の操作を行うことにより車両用シート２０は、シートポジションを変更する。ここで、乗員が車両用シート２０のスイッチ２５を操作することで、モータ１１の回転方向が決定し、シートＥＣＵ１２に情報が伝達する。
【００１８】
モータ１１の回転方向を検出したシートＥＣＵ１２は、各機構の動作方向を検出するためメモリ１３からエンジン始動時に記憶した記憶位置を呼び出して、モータ１１の回転方向と一致する機構の比較を行い、各機構の動作方向の検出を行う。ここで、各機構の動作方向を検出したシートＥＣＵ１２は、モータ１１の回転方向と一致する複数の機構を同時に動作して車両用シート２０を所望のシート位置へ移動させることにより車両用シート２０の再生時間を短縮することができる。
【符号の説明】
【００１９】
１０  モータ装置
１１  モータ
１２  シートＥＣＵ
１３  メモリ
２０  車両用シート
２１  スライド機構
２２  前方上下機構
２３  後方上下機構
２４  リクライニング機構
２５  スイッチ
【図１】
2012046157.tif 000003
【図２】
2012046157.tif 000004
【図３】
2012046157.tif 000005
【図４】
2012046157.tif 000006